(57)【要約】【課題】左右および上下に流れる画像を表示する画像表示装置を提供する。【解決手段】表示ユニット１０を有する画像表示装置１を提供する。表示ユニット１０は長手方向に第１の間隔で発光素子が直線的に配置された複数の線状発光体１１を含み、複数の線状発光体１１が、第１の間隔の少なくとも２倍の第２の間隔で並列し、複数の線状発光体の長手方向の中心を結ぶ中心線５が、線状発光体１１の長手方向に対して傾くように配置されている。【選択図】図１
2018112569.tif 000002
【特許請求の範囲】
【請求項１】
長手方向に第１の間隔で発光素子が直線的に配置された複数の線状発光体を含み、前記複数の線状発光体が、前記第１の間隔の少なくとも２倍の第２の間隔で並列し、前記複数の線状発光体の長手方向の中心を結ぶ中心線が、前記長手方向に対して傾くように配置されている表示ユニットを有する画像表示装置。
【請求項２】
請求項１において、前記表示ユニットに対し、前記中心線の方向を副走査線方向とする第１の画像データと、前記中心線に垂直な方向を副走査線方向とする第２の画像データとを供給する表示制御ユニットを有する、画像表示装置。
【請求項３】
請求項１または２において、前記複数の線状発光体のそれぞれは、複数の発光素子を含む、棒状の発光体である、画像表示装置。
【請求項４】
表示ユニットを有する画像表示装置の制御方法であって、
前記表示ユニットは、第１の方向に第１の間隔で発光素子が長手方向に沿って直線的に配置された複数の線状発光体を含み、前記複数の線状発光体が、前記第１の間隔の少なくとも２倍の第２の間隔で並列し、前記複数の線状発光体の長手方向の中心を結ぶ中心線が、前記長手方向に対して傾くように配置されており、
当該制御方法は、
前記表示ユニットに対し、前記中心線の方向を副走査線方向とする第１の画像データを供給することと、
前記表示ユニットに対し、前記中心線に垂直な方向を副走査線方向とする第２の画像データを供給することとを有する、制御方法。
【発明の詳細な説明】
【技術分野】
【０００１】
本発明は、ＬＥＤなどの発光素子を含む画像表示装置に関するものである。
【背景技術】
【０００２】
特許文献１には、さまざまな状況の現場に多数の棒状表示器を設置した際に、各棒状表示器の間隔が必ずしも一定でなくても、表示される画像を歪ませることなく、画面全体にわたって正しい縦横比の画像をスクロール表示する装置が記載されている。この装置のデータ分配手段は、飛び飛び制御変数として、各棒状表示器の標準的な配列間隔に対応して設定された標準値を記憶する手段と、その標準的な配列間隔からずれて配置した特定の棒状表示器について設定された補正値を記憶する手段とを有し、これら標準値と補正値とに基づいて各棒状表示器にそれぞれ分配する１列分の画像データを選択抽出する。
【先行技術文献】
【特許文献】
【０００３】
【特許文献１】特開平９−２８１９２２号公報
【発明の概要】
【発明が解決しようとする課題】
【０００４】
複数のＬＥＤが一定の間隔で配置された棒状の発光体を、ＬＥＤの間隔よりも粗い間隔で配置し、残像効果を用いて画像を表示する装置であって、スクロール装置あるいはポールビジョンと称される装置が知られている。この装置は画像を副走査方向に流して表示し、目の残像効果を利用して画像を認識させる。このため、副走査方向のＬＥＤの間隔を広くしても残像効果により比較的クリアーに見える画像を提供できる。したがって、低コストで、大サイズの画像を表示できる装置を提供できる。この装置において、さらに、多様な画像の表示を可能とする装置が求められている。
【課題を解決するための手段】
【０００５】
本発明の一態様は、表示ユニットを有する画像表示装置である。表示ユニットは、長手方向に第１の間隔で発光素子が直線的に配置された複数の線状発光体を含み、これら複数の線状発光体が、第１の間隔の少なくとも２倍の第２の間隔で並列し、複数の線状発光体の長手方向の中心を結ぶ中心線が、長手方向に対して傾くように配置されている。複数の線状発光体の長手方向に対して垂直な第１の仮想線を想定すると、中心線は、その第１の仮想線に対して傾くように配置されている。
【０００６】
この表示ユニットは、複数の線状発光体が斜めに配置されているので、残像効果を得るために画像を流す（進行させる）方向である副走査方向を中心線の方向と、中心線に直交する方向とに切り替えることができる。したがって、残像効果を狙って画像を流す方向を２方向に切り替えることができ、従来、一方向であった画像表示装置に対して多様な画像の表示が可能となる。
【０００７】
線状発光体の一例は、複数の発光素子を含む、棒状の発光体である。線状発光体は、複数のＬＥＤを繋ぐＬＥＤテープなどであってもよい。
【０００８】
画像表示装置は、表示ユニットに対し、中心線の方向を副走査線方向とする第１の画像データと、中心線に垂直な方向を副走査線方向とする第２の画像データとを供給する表示制御ユニットを有していてもよい。
【０００９】
本発明の異なる態様の１つは、画像表示装置の制御方法であって、以下のステップを含む。
１．表示ユニットに対し、中心線の方向を副走査線方向とする第１の画像データを供給する。
２．表示ユニットに対し、中心線に垂直な方向を副走査線方向とする第２の画像データを供給する。
【図面の簡単な説明】
【００１０】
【図１】画像表示装置の概要を示すブロック図。
【図２】表示ユニットの一部を拡大して示す図。
【発明を実施するための形態】
【００１１】
図１に、画像表示装置の一例を示している。この画像表示装置１は、発光素子が並び、表示領域１４を形成する表示パネル（表示ユニット）１０と、表示パネル１０に表示用の画像データ５１および５２を供給する表示制御ユニット２０とを含む。表示パネル１０は、発光素子にデータを供給する配線群１２を含む。
【００１２】
図２に、表示パネル１０の中央付近の一部Ａを拡大して示している。表示パネル１０は全体として長方形で、表示パネル１０の内部に、表示パネル１０の長手方向５に対して斜めに配置された複数の線状の発光体１１を含む。個々の線状の発光体１１は、長手方向１９に第１の間隔（第１のピッチ）Ｐ１で直線的に配置された発光素子、具体的には複数のＬＥＤ１５を含む。本例において線状発光体１１は、複数のＬＥＤ１５が所定の間隔Ｐ１で内蔵された棒状の発光体１１である。
【００１３】
表示パネル１０では、複数の棒状発光体１１が、ＬＥＤ１５のピッチＰ１に対して少なくとも２倍の第２の間隔（第２のピッチ）Ｐ２で並列して配置されている。表示パネル１０の長手方向１０ａは、複数の棒状発光体１１のそれぞれの、長手方向１９の中心１９ａを結ぶ中心線５の方向と一致している。したがって、複数の棒状発光体１１は、中心線５が、長手方向１９に対して傾くように配置されている。長手方向１９に対して垂直な第１の仮想線７を想定すると、中心線５は第１の仮想線７に対して傾くように配置されている。本例において、中心線５に対して、複数の棒状発光体１１は、その長手方向１９が、鋭角側の角度θで傾いて配置されており、角度θの一例は４５度である。角度θは４５度以外であってもよく、２０度から８０度の範囲、さらには３０度から６０の範囲であることが望ましい。
【００１４】
表示パネル１０では、複数の棒状発光体１１が中心線５の方向のピッチ（第３のピッチ）Ｐ３がＬＥＤ１５同士のピッチＰ１の５倍となるように配置されている。したがって、複数の棒状発光体１１は、垂直な第１の仮想線７の方向のピッチＰ２は約３．５となる。残像を用いて画像を認識させる画像表示装置１において、棒状発光体１１同士のピッチＰ２およびＰ３は広い方がＬＥＤ１５の密度が低くなるのでコストメリットがあり、面積の大きな画像表示装置１に適している。一方、棒状発光体１１同士のピッチＰ２およびＰ３が広すぎると、残像効果が薄れ、クリアな画像を表示することが難しくなる。画像の進行方向である副走査方向に対して斜めに棒状発光体１１を配置することにより、棒状発光体１１の単位では、ピッチＰ３で並ぶが、ＬＥＤ１５の単位でみると、副走査方向では、主走査方向に多少シフトするが、１つの棒状発光体１１にピッチＰ１で並んだＬＥＤ１５が存在し、副走査方向の次のタイミングでは、同じ棒状発光体１１の隣のＬＥＤ１５が発光することにより画像がシフトしていく。したがって、棒状発光体１１同士のピッチＰ２およびＰ３が広くても、クリアな画像を表示できる。
【００１５】
たとえば、中心線５の方向（図２の左右方向）が副走査方向である場合、棒状発光体１１の単位ではピッチＰ３で画像がシフトするが、ＬＥＤ１５の単位では、同一の棒状発光体１１に含まれるピッチ（Ｐ１／√２）で副走査方向に位置する隣のＬＥＤ１５が発光し画像がシフトする。したがって、ＬＥＤ１５の単位では斜め方向に画像がシフトするとともに中心線５の方向に残像により画像がシフトし、全体として中心線５の方向に流れるクリアな画像が画像表示装置１０の表示エリア１４に表示される。
【００１６】
中心線５に直交する方向（図２に上下方向）６においても同様である。すなわち、棒状発光体１１の単位ではピッチＰ３で画像が上下方向６にシフトするが、ＬＥＤ１５の単位では、同一の棒状発光体１１に含まれるピッチ（Ｐ１／√２）で副走査方向に位置する隣のＬＥＤ１５が上下方向６では次に発光し、画像が上下方向６にシフトする。したがって、ＬＥＤ１５の単位では斜め方向に画像がシフトするとともに、上下方向６に残像により画像がシフトし、全体として上下の方向６に流れるクリアな画像が画像表示装置１０の表示エリア１４に表示される。
【００１７】
図１に示すように、表示制御ユニット２０は、画像３０、本例においては「ＡＢＣ」、を中心線５の方向を副走査方向として表示する第１の画像データ５１を生成して表示パネル１０に供給する第１の供給ユニット２１と、画像３０を、上下方向６を副走査方向として表示する第２の画像データ５２を生成して表示パネル１０に供給する第２の供給ユニット２２とを含む。したがって、この画像表示装置１は、中心線５の方向（左右方向）と、上下方向６とをそれぞれ副走査方向として画像を表示できる。
【００１８】
また、それぞれの画像データ５１および５２は、副走査方向に、棒状発光体１１のピッチＰ３に対応するサイクルで表示する走査方向の成分と、走査方向に隣接する画素を、ＬＥＤ１５のピッチ（Ｐ１／√２）に対応するサイクルで表示する成分とを含む。したがって、この表示テーブル１０に表示される画像は、副走査方向に流れるとともに、棒状発光体１１の長手方向１９に流れるように見える独特の特性を含む。なお、画像３０としては、第１の画像データ５１を表示する場合は、全体として左右方向５に流れ、第２の画像データ５２を表示する場合は、全体として上下方向６に流れる。
【００１９】
なお、上記の表示テーブル（表示ユニット）１０においては、棒状発光体１１を左右方向にＬＥＤ１５のピッチＰ１の５倍のピッチＰ３で並べているが、ピッチＰ３は３〜２０倍程度であることが望ましく、３〜１０倍程度であることがさらに好ましい。
【００２０】
また、棒状の発光体１１を平面的に並べた表示ユニット１０を示しているが、棒状の発光体１１を立体的に配置した表示ユニット１０であってもよく、たとえば、円筒状に並べて表示ユニット１０であれば、円筒状の表示ユニット１０を上下方向および円周方向に画像が流れるように表示できる。また、発光素子１５の好適な例はＬＥＤであるが、半導体レーザであってもＥＬなどの他の発光素子であってもよい。また、上記では棒状の発光体１１を備えた表示ユニット１０の例を示しているが、ＬＥＤなどの発光素子が直線に沿って配置されていればよく、ＬＥＤテープなどの他の線状の発光体を用いるものであってもよい。
【符号の説明】
【００２１】
１  画像表示装置、  １０  表示ユニット（表示テーブル）
１５  発光素子（ＬＥＤ）
【図１】
2018112569.tif 000003
【図２】
2018112569.tif 000004